【手続補正書】
【提出日】平成16年3月30日(2004.3.30)
【手続補正１】
【補正対象書類名】明細書
【補正対象項目名】特許請求の範囲
【補正方法】変更
【補正の内容】
【特許請求の範囲】
【請求項１】
圧縮機、室外熱交換器、室内熱交換器、前記室外熱交換器と前記室内熱交換器との間に配置されて冷房運転時および暖房運転時に絞り作用を行なう冷暖房用絞り装置、前記室内熱交換器の前面熱交換器と背面熱交換器との間に配置されて除湿運転時に絞り作用を行なう除湿用絞り装置、前記圧縮機の出口側に設けて前記室外熱交換器と記室内熱交換器への冷媒の流れ方向を切り換える切換弁、を冷媒配管で接続して冷凍サイクルを形成し、
前記室内熱交換器に室内空気を通風する貫流ファンおよびその通風路を形成する背面ケーシングを備え、
前記背面熱交換器は、後側が前記背面ケーシングに近接し前側が前方上方に位置するように傾斜して配置すると共に、前記圧縮機から出た冷媒を前記前面熱交換器に導いてこの前面熱交換器を凝縮器とし前記背面熱交換器を蒸発器とする暖房モード除湿運転時における冷媒出口を、前記背面ケーシングに隣接する伝熱管より前方に位置する伝熱管に形成したことを特徴とする空気調和機。
【請求項２】
請求項１において、前記背面熱交換器の冷媒出口を前記前面熱交換器に隣接する伝熱管に形成したことを特徴とする空気調和機。
【請求項３】
圧縮機、室外熱交換器、室内熱交換器、前記室外熱交換器と前記室内熱交換器との間に配置されて冷房運転時および暖房運転時に絞り作用を行なう冷暖房用絞り装置、前記室内熱交換器の前面熱交換器と背面熱交換器との間に配置されて除湿運転時に絞り作用を行なう除湿用絞り装置、前記圧縮機の出口側に設けて前記室外熱交換器と記室内熱交換器への冷媒の流れ方向を切り換える切換弁、を冷媒配管で接続して冷凍サイクルを形成し、
前記冷凍サイクルは、前記圧縮機から出た冷媒を前記室外熱交換器に導いてこの室外熱交換器を凝縮器とし前記室内熱交換器を蒸発器とした冷房運転と、前記圧縮機から出た冷媒を前記前面熱交換器に導いて前記室内熱交換器を凝縮器とし前記室外熱交換器を蒸発器とした暖房運転と、前記圧縮機から出た冷媒を前記前面熱交換器に導いてこの前面熱交換器を凝縮器とし前記背面熱交換器を蒸発器とする暖房モード除湿運転とに切り換え可能に構成し、
前記室内熱交換器に室内空気を通風する貫流ファンおよびその通風路を形成する背面ケーシングを備え、
前記背面熱交換器は、後側が前記背面ケーシングに近接し前側が前方上方に位置するように傾斜して配置すると共に、前記暖房運転時および前記暖房モード除湿運転時に並列パスから１パスとなって冷媒出口に至る冷媒パスを形成し、前記冷媒出口に至る１パス部分を前記背面ケーシングに隣接した並列パスの伝熱管より前方に位置して設けたことを特徴とする空気調和機。
【請求項４】
請求項３において、前記背面熱交換器は、室内空気の通風方向に複数列に形成すると共に、前記冷媒出口に至る１パス部分をその風上側列に位置して設けたことを特徴とする空気調和機。
【請求項５】
請求項４において、前記背面熱交換器の冷媒出口に至る１パス部分は、風上側列における並列パスの複数段の伝熱管より前方に位置して複数段に設けたことを特徴とする空気調和機。
【請求項６】
圧縮機、室外熱交換器、補助熱交換器と主熱交換器とを有する室内熱交換器、前記室外熱交換器と前記室内熱交換器との間に配置されて冷房運転時および暖房運転時に絞り作用を行なう冷暖房用絞り装置、前記主熱交換器の前面熱交換器と背面熱交換器との間に配置されて除湿運転時に絞り作用を行なう除湿用絞り装置、前記圧縮機の出口側に設けて前記室外熱交換器と記室内熱交換器への冷媒の流れ方向を切り換える切換弁、を冷媒配管で接続して冷凍サイクルを形成し、前記冷凍サイクルは、前記圧縮機から出た冷媒を前記室外熱交換器に導いてこの室外熱交換器を凝縮器とし前記室内熱交換器を蒸発器とした冷房運転と、前記圧縮機から出た冷媒を前記前面熱交換器に導いて前記室内熱交換器を凝縮器とし前記室外熱交換器を蒸発器とした暖房運転と、前記圧縮機から出た冷媒を前記前面熱交換器に導いてこの前面熱交換器を凝縮器とし前記背面熱交換器および前記補助熱交換器を蒸発器とする暖房モード除湿運転とに切り換え可能に構成し、
前記室内熱交換器に室内空気を通風する貫流ファンおよびその通風路を形成する背面ケーシングを備え、
前記背面熱交換器は後側が前記背面ケーシングに近接し前側が前方上方に位置するように傾斜して配置し、
前記補助熱交換器は、前記主熱交換器の風上側に配置すると共に、暖房運転時および暖房モード除湿運転時に前記背面熱交換器の出口側に接続され、冷媒出口を前記背面熱交換器における背面ケーシングに隣接する伝熱管より前方に位置する伝熱管に形成したことを特徴とする空気調和機。
【請求項７】
請求項６において、前記補助熱交換器は、前記背面熱交換器の段数より少ない段数で１列の１パスで形成すると共に、前記背面熱交換器の風上側空間に設置したことを特徴とする空気調和機。
【請求項８】
請求項６において、前記補助熱交換器は、段数で１列の１パスで形成すると共に、前記貫流ファンの前方に位置する前記背面熱交換器の風上側空間に設置したことを特徴とする空気調和機。
【手続補正２】
【補正対象書類名】明細書
【補正対象項目名】０００９
【補正方法】変更
【補正の内容】
【０００９】
【課題を解決するための手段】
上記第１の目的を達成するための本発明の第１の特徴は、圧縮機、室外熱交換器、室内熱交換器、前記室外熱交換器と前記室内熱交換器との間に配置されて冷房運転時および暖房運転時に絞り作用を行なう冷暖房用絞り装置、前記室内熱交換器の前面熱交換器と背面熱交換器との間に配置されて除湿運転時に絞り作用を行なう除湿用絞り装置、前記圧縮機の出口側に設けて前記室外熱交換器と記室内熱交換器への冷媒の流れ方向を切り換える切換弁、を冷媒配管で接続して冷凍サイクルを形成し、前記室内熱交換器に室内空気を通風する貫流ファンおよびその通風路を形成する背面ケーシングを備え、前記背面熱交換器は、後側が前記背面ケーシングに近接し前側が前方上方に位置するように傾斜して配置すると共に、前記圧縮機から出た冷媒を前記前面熱交換器に導いてこの前面熱交換器を凝縮器とし前記背面熱交換器を蒸発器とする暖房モード除湿運転時における冷媒出口を、前記背面ケーシングに隣接する伝熱管より前方に位置する伝熱管に形成したことにある。


【手続補正３】
【補正対象書類名】明細書
【補正対象項目名】００１０
【補正方法】変更
【補正の内容】
【００１０】
上記第２の目的を達成するための本発明の第２の特徴は、圧縮機、室外熱交換器、室内熱交換器、前記室外熱交換器と前記室内熱交換器との間に配置されて冷房運転時および暖房運転時に絞り作用を行なう冷暖房用絞り装置、前記室内熱交換器の前面熱交換器と背面熱交換器との間に配置されて除湿運転時に絞り作用を行なう除湿用絞り装置、前記圧縮機の出口側に設けて前記室外熱交換器と記室内熱交換器への冷媒の流れ方向を切り換える切換弁、を冷媒配管で接続して冷凍サイクルを形成し、前記冷凍サイクルは、前記圧縮機から出た冷媒を前記室外熱交換器に導いてこの室外熱交換器を凝縮器とし前記室内熱交換器を蒸発器とした冷房運転と、前記圧縮機から出た冷媒を前記前面熱交換器に導いて前記室内熱交換器を凝縮器とし前記室外熱交換器を蒸発器とした暖房運転と、前記圧縮機から出た冷媒を前記前面熱交換器に導いてこの前面熱交換器を凝縮器とし前記背面熱交換器を蒸発器とする暖房モード除湿運転とに切り換え可能に構成し、前記室内熱交換器に室内空気を通風する貫流ファンおよびその通風路を形成する背面ケーシングを備え、前記背面熱交換器は、後側が前記背面ケーシングに近接し前側が前方上方に位置するように傾斜して配置すると共に、前記暖房運転時および前記暖房モード除湿運転時に並列パスから１パスとなって冷媒出口に至る冷媒パスを形成し、前記冷媒出口に至る１パス部分を前記背面ケーシングに隣接した並列パスの伝熱管より前方に位置して設けたことにある。


【手続補正４】
【補正対象書類名】明細書
【補正対象項目名】００１１
【補正方法】変更
【補正の内容】
【００１１】
上記第３の目的を達成するための本発明の第３の特徴は、圧縮機、室外熱交換器、補助熱交換器と主熱交換器とを有する室内熱交換器、前記室外熱交換器と前記室内熱交換器との間に配置されて冷房運転時および暖房運転時に絞り作用を行なう冷暖房用絞り装置、前記主熱交換器の前面熱交換器と背面熱交換器との間に配置されて除湿運転時に絞り作用を行なう除湿用絞り装置、前記圧縮機の出口側に設けて前記室外熱交換器と記室内熱交換器への冷媒の流れ方向を切り換える切換弁、を冷媒配管で接続して冷凍サイクルを形成し、前記冷凍サイクルは、前記圧縮機から出た冷媒を前記室外熱交換器に導いてこの室外熱交換器を凝縮器とし前記室内熱交換器を蒸発器とした冷房運転と、前記圧縮機から出た冷媒を前記前面熱交換器に導いて前記室内熱交換器を凝縮器とし前記室外熱交換器を蒸発器とした暖房運転と、前記圧縮機から出た冷媒を前記前面熱交換器に導いてこの前面熱交換器を凝縮器とし前記背面熱交換器および前記補助熱交換器を蒸発器とする暖房モード除湿運転とに切り換え可能に構成し、前記室内熱交換器に室内空気を通風する貫流ファンおよびその通風路を形成する背面ケーシングを備え、前記背面熱交換器は後側が前記背面ケーシングに近接し前側が前方上方に位置するように傾斜して配置し、前記補助熱交換器は、前記主熱交換器の風上側に配置すると共に、暖房運転時および暖房モード除湿運転時に前記背面熱交換器の出口側に接続され、冷媒出口を前記背面熱交換器における背面ケーシングに隣接する伝熱管より前方に位置する伝熱管に形成したことにある。